(57)【要約】【課題】汎用性が高く、且つ、回路規模が小さい受信制御回路、テレビチューナ及び半導体集積回路を提供する。【解決手段】コントローラからの受信制御データＳＤをＶＨＦロウ帯制御信号Ｂ１、ＶＨＦハイ帯制御信号Ｂ２、第１の兼用信号Ｂ３、及び第２の兼用信号Ｂ４に変換する変換回路３１、ＶＨＦロウ帯制御信号Ｂ１、第１の兼用信号Ｂ３、及び第２の兼用信号Ｂ４に基づいてＵＨＦ帯制御信号ＳＵ及びＦＭトラップ制御信号ＳＦＭを生成するバンドスイッチ回路３２ａ、ＶＨＦロウ帯制御信号Ｂ１、ＶＨＦハイ帯制御信号Ｂ２、ＵＨＦ帯制御信号Ｂ３、及びＦＭトラップ制御信号ＳＦＭをそれぞれインピーダンス変換するドライバ回路３３を備える。【選択図】    図２
2004343225.tif 000002
【特許請求の範囲】
【請求項１】
コントローラからの受信制御データをＶＨＦロウ帯制御信号、ＶＨＦハイ帯制御信号、第１の兼用信号、及び第２の兼用信号に変換する変換回路と、
前記ＶＨＦロウ帯制御信号、前記第１の兼用信号、及び前記第２の兼用信号に基づいてＵＨＦ帯制御信号及びＦＭトラップ制御信号を生成するバンドスイッチ回路と、
前記ＶＨＦロウ帯制御信号、前記ＶＨＦハイ帯制御信号、前記ＵＨＦ帯制御信号、及び前記ＦＭトラップ制御信号をそれぞれインピーダンス変換するドライバ回路
とを備えることを特徴とする受信制御回路。
【請求項２】
前記バンドスイッチ回路は、前記ＶＨＦロウ帯制御信号、前記第１の兼用信号、及び前記第２の兼用信号の各ビットの組み合わせにより前記ＵＨＦ帯制御信号を生成するＵＨＦ帯制御回路を備えることを特徴とする請求項１に記載の受信制御回路。
【請求項３】
前記バンドスイッチ回路は、前記ＶＨＦロウ帯制御信号、前記第１の兼用信号、及び前記第２の兼用信号の各ビットの組み合わせにより前記ＦＭトラップ制御信号を生成するＦＭトラップ制御回路を備えることを特徴とする請求項１に記載の受信制御回路。
【請求項４】
前記バンドスイッチ回路は、前記ＶＨＦロウ帯制御信号及び前記ＶＨＦハイ帯制御信号を論理和演算してＶＨＦ帯制御信号を生成するＶＨＦ用論理和回路を備えることを特徴とする請求項１に記載の受信制御回路。
【請求項５】
前記ＵＨＦ帯制御回路は、前記ＶＨＦロウ帯制御信号がロウレベル時に前記第１及び第２の兼用信号のいずれかがハイレベルの場合に前記ＵＨＦ帯制御信号を生成することを特徴とする請求項２に記載の受信制御回路。
【請求項６】
前記ＦＭトラップ制御回路は、前記ＶＨＦロウ帯制御信号がハイレベル時に前記第１及び第２の兼用信号のいずれかがハイレベルの場合に前記ＦＭトラップ制御信号を生成することを特徴とする請求項３に記載の受信制御回路。
【請求項７】
前記ＵＨＦ帯制御回路は、
前記ＶＨＦロウ帯制御信号を反転するインバータと、
前記第１の兼用信号及び反転された前記ＶＨＦロウ帯制御信号に第１の論理積演算処理を施す第１のＵＨＦ用論理積回路と、
前記第２の兼用信号及び反転された前記ＶＨＦロウ帯制御信号に第２の論理積演算処理を施す第２のＵＨＦ用論理積回路と、
前記第１の論理積演算処理の演算結果及び前記第２の論理積演算処理の演算結果を論理和演算するＵＨＦ用論理和回路
とを備えることを特徴とする請求項５に記載の受信制御回路。
【請求項８】
前記ＵＨＦ帯制御回路は、
前記ＶＨＦロウ帯制御信号を反転するインバータと、
前記第１及び第２の兼用信号に論理和演算処理を施すＵＨＦ用論理和回路と、
反転された前記ＶＨＦロウ帯制御信号及び前記論理和演算処理の演算結果を論理積演算するＵＨＦ用論理積回路
とを備えることを特徴とする請求項５に記載の受信制御回路。
【請求項９】
前記ＦＭトラップ制御回路は、
前記第１及び第２の兼用信号に論理和演算処理を施すＦＭ用論理和回路と、
前記ＶＨＦロウ帯制御信号及び前記論理和演算処理の演算結果を論理積演算するＦＭ用論理積回路
とを備えることを特徴とする請求項６に記載の受信制御回路。
【請求項１０】
前記ＦＭトラップ制御回路は、
前記ＶＨＦロウ帯制御信号及び前記第２の兼用信号に第１の論理積演算処理を施す第１のＦＭ用論理積回路と、
前記ＶＨＦロウ帯制御信号及び前記第１の兼用信号に第２の論理積演算処理を施す第２のＦＭ用論理積回路と、
前記第１の論理積演算処理の演算結果及び前記第２の演算処理の演算結果を論理和演算するＦＭ用論理和回路
とを備えることを特徴とする請求項６に記載の受信制御回路。
【請求項１１】
受信制御データ及びＰＬＬ受信制御データを生成するコントローラと、
前記受信制御データをＶＨＦロウ帯制御信号、ＶＨＦハイ帯制御信号、第１の兼用信号、及び第２の兼用信号に変換し、ＦＭトラップ制御信号、ＶＨＦ帯制御信号、及びＵＨＦ帯制御信号を生成する受信制御回路と、
前記ＶＨＦロウ帯制御信号、前記ＶＨＦハイ帯制御信号、前記ＦＭトラップ制御信号、及び前記ＵＨＦ帯制御信号に基づいて第１の高周波信号及び第２の高周波信号を生成する高周波増幅部と、
前記ＰＬＬ受信制御データに応じて第１及び第２のクロックを制御するＰＬＬ回路と、
前記ＶＨＦ帯制御信号及び前記第１のクロックを用いて前記第１の高周波信号を第１の中間周波信号に変換し、且つ、前記ＵＨＦ帯制御信号及び前記第２のクロックを用いて前記第２の高周波信号を第２の中間周波信号に変換する中間周波増幅部
とを備えることを特徴とするテレビチューナ。
【請求項１２】
半導体チップと、
該半導体チップ上に集積化され、受信制御データをＶＨＦロウ帯制御信号、ＶＨＦハイ帯制御信号、第１の兼用信号、及び第２の兼用信号に変換し、ＦＭトラップ制御信号、ＶＨＦ帯制御信号、及びＵＨＦ帯制御信号を生成する受信制御回路と、
前記半導体チップ上に集積化され、ＰＬＬ受信制御データに応じて第１及び第２のクロックを制御するＰＬＬ回路と、
前記半導体チップ上に集積化され、ＶＨＦ帯制御信号及び前記第１のクロックを用いて前記第１の高周波信号を第１の中間周波信号に変換し、且つ、前記ＵＨＦ帯制御信号及び前記第２のクロックを用いて前記第２の高周波信号を第２の中間周波信号に変換する中間周波増幅部
とを備えることを特徴とする半導体集積回路。
【発明の詳細な説明】
【０００１】
【発明の属する技術分野】
本発明は受信装置に関し、特に受信周波数帯の選択を切り替える受信制御回路、テレビチューナ及び半導体集積回路に関する。
【０００２】
【従来の技術】
テレビ放送に用いられる無線電波の周波数帯は、周波数が５５〜３８０ＭＨｚ程度の高周波（ＶＨＦ）帯と、周波数が３８０〜６５０ＭＨｚ程度の超高周波（ＵＨＦ）帯とに大別できる。ＶＨＦ帯は、周波数が５５〜１４０ＭＨｚ程度のＶＨＦロウ帯と、周波数が１４０〜３８０ＭＨｚ程度のＶＨＦハイ帯に更に分類できる。米国においてはＶＨＦロウ帯中にラジオの周波数変調（ＦＭ）帯が設定される。ＦＭ帯の周波数帯は９０〜１１０ＭＨｚ程度である。よって、ＶＨＦロウ帯を受信する場合はＦＭ帯の周波数成分をトラップする必要がある。
【０００３】
テレビ放送の無線電波を受信するテレビチューナは、主に、高周波増幅部、中間周波増幅部、受信制御回路、及びコントローラからなる。高周波増幅部及び中間周波増幅部は、テレビ放送に用いられる無線電波の受信周波数帯を選択する。受信制御回路は、コントローラが供給する受信制御データに基づいて高周波増幅部及び中間周波増幅部を制御する。受信制御データとしては、通常、ＶＨＦロウ帯制御信号、ＶＨＦハイ帯制御信号、第１の兼用信号、及び第２の兼用信号を１ビット毎に割り当てたシリアルデータが使用される。第１の兼用信号及び第２の兼用信号にＦＭトラップ制御信号及びＵＨＦ帯制御信号をそれぞれ割り当てるように定めた規格が存在する（以下において「第１の規格」という。）。これに対して第１の兼用信号及び第２の兼用信号にＵＨＦ帯制御信号及びＦＭトラップ制御信号をそれぞれ割り当てるように定めた規格が存在する（以下において「第２の規格」という。）。第１の規格及び第２の規格の両方の規格に対応するために、ＶＨＦロウ帯制御信号及びＶＨＦハイ帯制御信号に基づいて高周波増幅部及び中間周波増幅部を制御する手法が提案されている（例えば、特許文献１参照。）。
【０００４】
【特許文献１】
特開平１１−１１２８９４号公報
【０００５】
【発明が解決しようとする課題】
ＶＨＦロウ帯制御信号及びＶＨＦハイ帯制御信号に基づいて高周波増幅部及び中間周波増幅部を制御する手法は、中間周波増幅部に動作切り替え用の切り替えスイッチ及び切り替えスイッチ用の端子が必要である。更に、切り替えスイッチ用の端子に印加する電圧を切り替えるための電源回路及び基板配線等を変更する必要がある。この結果テレビチューナ全体の回路規模が増大する。また、上述した第１の規格及び第２の規格の両方の規格に対応するために、ＦＭトラップ制御信号及びＵＨＦ帯制御信号をインピーダンス変換するバッファの駆動能力を最適に設定できない。バッファの回路規模は駆動能力の高さと比例するため、バッファ回路の回路規模がテレビチューナの小型化・軽量化の妨げとなっている。このように、汎用性が高く、且つ、回路規模が小さいテレビチューナの実現が望まれている。
【０００６】
上記問題点を鑑み、本発明は、汎用性が高く、且つ、回路規模が小さい受信制御回路、テレビチューナ及び半導体集積回路を提供することを目的とする。
【０００７】
【課題を解決するための手段】
上記目的を達成する為に、本発明の第１の特徴は、（イ）コントローラからの受信制御データをＶＨＦロウ帯制御信号、ＶＨＦハイ帯制御信号、第１の兼用信号、及び第２の兼用信号に変換する変換回路；（ロ）ＶＨＦロウ帯制御信号、第１の兼用信号、及び第２の兼用信号に基づいてＵＨＦ帯制御信号及びＦＭトラップ制御信号を生成するバンドスイッチ回路；（ハ）ＶＨＦロウ帯制御信号、ＶＨＦハイ帯制御信号、ＵＨＦ帯制御信号、及びＦＭトラップ制御信号をそれぞれインピーダンス変換するドライバ回路を備える受信制御回路であることを要旨とする。
【０００８】
本発明の第２の特徴は、（イ）受信制御データ及びＰＬＬ受信制御データを生成するコントローラ；（ロ）受信制御データをＶＨＦロウ帯制御信号、ＶＨＦハイ帯制御信号、第１の兼用信号、及び第２の兼用信号に変換し、ＦＭトラップ制御信号、ＶＨＦ帯制御信号、及びＵＨＦ帯制御信号を生成する受信制御回路；（ハ）ＶＨＦロウ帯制御信号、ＶＨＦハイ帯制御信号、ＦＭトラップ制御信号、及びＵＨＦ帯制御信号に基づいて第１の高周波信号及び第２の高周波信号を生成する高周波増幅部；（ニ）ＰＬＬ受信制御データに応じて第１及び第２のクロックを制御するＰＬＬ回路；（ホ）ＶＨＦ帯制御信号及び第１のクロックを用いて第１の高周波信号を第１の中間周波信号に変換し、且つ、ＵＨＦ帯制御信号及び第２のクロックを用いて第２の高周波信号を第２の中間周波信号に変換する中間周波増幅部を備えるテレビチューナであることを要旨とする。
【０００９】
本発明の第３の特徴は、（イ）半導体チップ；（ロ）半導体チップ上に集積化され、受信制御データをＶＨＦロウ帯制御信号、ＶＨＦハイ帯制御信号、第１の兼用信号、及び第２の兼用信号に変換し、ＦＭトラップ制御信号、ＶＨＦ帯制御信号、及びＵＨＦ帯制御信号を生成する受信制御回路；（ハ）半導体チップ上に集積化され、ＰＬＬ受信制御データに応じて第１及び第２のクロックを制御するＰＬＬ回路；（ニ）半導体チップ上に集積化され、ＶＨＦ帯制御信号及び第１のクロックを用いて第１の高周波信号を第１の中間周波信号に変換し、且つ、ＵＨＦ帯制御信号及び第２のクロックを用いて第２の高周波信号を第２の中間周波信号に変換する中間周波増幅部を備える半導体集積回路であることを要旨とする。
【００１０】
【発明の実施の形態】
次に、図面を参照して本発明の実施の形態を説明する。この実施の形態における図面の記載において、同一又は類似の部分には同一又は類似の符号を付している。
【００１１】
本発明の実施の形態に係る受信装置は、図１に示すように、アンテナ６、アンテナ６が受信した受信信号ＳＲを第１の中間周波信号ＩＦ１及び第２の中間周波信号ＩＦ２に変換するテレビチューナ１０を備える。図１に示すテレビチューナ１０は、アンテナ６に接続された高周波増幅部１、高周波増幅部１に接続された中間周波増幅部２、高周波増幅部１及び中間周波増幅部２に接続された受信制御回路３ａ、受信制御回路３ａに接続されたコントローラ５、コントローラ５と中間周波増幅部２との間に接続されたＰＬＬ回路４を備える。コントローラ５は、受信制御データＳＤを受信制御回路３ａに供給する。またコントローラ５は、ＰＬＬ受信制御データＤＡをＰＬＬ回路４に供給する。受信制御回路３ａは、受信制御データＳＤをＶＨＦロウ帯制御信号Ｂ１、ＶＨＦハイ帯制御信号Ｂ２、第１の兼用信号Ｂ３、及び第２の兼用信号Ｂ４に変換し、ＦＭトラップ制御信号ＳＦＭ、ＶＨＦ帯制御信号ＳＶ、及びＵＨＦ帯制御信号ＳＵを生成する。高周波増幅部１は、ＶＨＦロウ帯制御信号Ｂ１、ＶＨＦハイ帯制御信号Ｂ２、ＦＭトラップ制御信号ＳＦＭ、及びＵＨＦ帯制御信号ＳＵに基づいて第１の高周波信号ＲＦ１及び第２の高周波信号ＲＦ２を生成する。中間周波増幅部２は、ＶＨＦ帯制御信号ＳＶに基づいて第１の高周波信号ＲＦ１を第１の中間周波信号ＩＦ１に変換し、且つ、ＵＨＦ帯制御信号ＳＵに基づいて第２の高周波信号ＲＦ２を第２の中間周波信号ＩＦ２に変換する。ＰＬＬ回路４は、ＰＬＬ受信制御データＤＡに応じて中間周波増幅部２に制御電圧Ｖｔ１及びＶｔ２を供給する。
【００１２】
更に、受信制御回路３ａは、図１に示すように、コントローラ５に接続された変換回路３１、変換回路３１に接続されたバンドスイッチ回路３２ａ、バンドスイッチ回路３２ａに接続されたドライバ回路３３を備える。変換回路３１としては、例えばシリアル／パラレル（Ｓ／Ｐ）変換器が使用できる。変換回路３１は、受信制御データＳＤをＶＨＦロウ帯制御信号Ｂ１、ＶＨＦハイ帯制御信号Ｂ２、第１の兼用信号Ｂ３、及び第２の兼用信号Ｂ４に変換する。バンドスイッチ回路３２ａは、表１に示すように、ＶＨＦロウ帯制御信号Ｂ１、ＶＨＦハイ帯制御信号Ｂ２、第１の兼用信号Ｂ３、及び第２の兼用信号Ｂ４の各ビットの組み合わせによりＵＨＦ帯制御信号ＳＵ、ＶＨＦ帯制御信号ＳＶ、及びＦＭトラップ制御信号ＳＦＭを生成する：
【表１】
2004343225.tif 000003
ドライバ回路３３は、ＶＨＦロウ帯制御信号Ｂ１、ＶＨＦハイ帯制御信号Ｂ２、ＦＭトラップ制御信号ＳＦＭ、及びＵＨＦ帯制御信号ＳＵをそれぞれインピーダンス変換する。
【００１３】
図１に示す変換回路３１からのＶＨＦロウ帯制御信号Ｂ１、ＶＨＦハイ帯制御信号Ｂ２、第１の兼用信号Ｂ３、及び第２の兼用信号Ｂ４は、図２に示すように、第１のバンド端子８ａ、第２のバンド端子８ｂ、第３のバンド端子８ｃ、及び第４のバンド端子８ｄにそれぞれ供給される。バンドスイッチ回路３２ａは、図２に示すように、第１のバンド端子８ａ及び第２のバンド端子８ｂに入力側が接続され、ＶＨＦ制御端子９ｆに出力側が接続されたＶＨＦ用論理和回路３８、第１のバンド端子８ａ、第３のバンド端子８ｃ、及び第４のバンド端子８ｄに入力側が接続され、第１のＵＨＦ制御端子９ｅ及び第２のＵＨＦ制御端子９ｄに出力側が接続されたＵＨＦ帯制御回路３４、第１のバンド端子８ａ、第３のバンド端子８ｃ、及び第４のバンド端子８ｄに入力側が接続され、ＦＭトラップ制御端子９ｃに出力側が接続されたＦＭトラップ制御回路３５を備える。また、第１のバンド端子８ａは第１のバンド出力端子９ａに接続される。第２のバンド端子８ｂは第２のバンド出力端子９ｂに接続される。ＶＨＦ用論理和回路３８は、ＶＨＦロウ帯制御信号Ｂ１及びＶＨＦハイ帯制御信号Ｂ２を論理和演算してＶＨＦ帯制御信号ＳＶを生成する。
【００１４】
ＵＨＦ帯制御回路３４は、例えば図２に示すように、第１のバンド端子８ａに接続されたインバータ３４ａ、第１のＵＨＦ制御端子９ｅに接続されたＵＨＦ用論理和回路３４ｄ、インバータ３４ａ及び第３のバンド端子８ｃに入力側が接続され、ＵＨＦ用論理和回路３４ｄに出力側が接続された第１のＵＨＦ用論理積回路３４ｂ、インバータ３４ａ及び第４のバンド端子８ｄに入力側が接続され、ＵＨＦ用論理和回路３４ｄに出力側が接続された第２のＵＨＦ用論理積回路３４ｃを備える。ＵＨＦ帯制御回路３４は、表２に示すように、ＶＨＦロウ帯制御信号Ｂ１、第１の兼用信号Ｂ３、及び第２の兼用信号Ｂ４の各ビットの組み合わせによりＵＨＦ帯制御信号ＳＵを生成する：
【表２】
2004343225.tif 000004
即ち、ＵＨＦ帯制御回路３４は、ＶＨＦロウ帯制御信号Ｂ１がロウレベル時に第１の兼用信号Ｂ３及び第２の兼用信号Ｂ４のいずれかがハイレベルの場合にＵＨＦ帯制御信号ＳＵを生成する。
【００１５】
また、ＦＭトラップ制御回路３５は、例えば図２に示すように、第３のバンド端子８ｃ及び第４のバンド端子８ｄに接続されたＦＭ用論理和回路３５ａ、第１のバンド端子８ａに一方の入力が接続され、ＦＭ用論理和回路３５ａに他方の入力が接続され、ＦＭトラップ制御端子９ｃに出力側が接続されたＦＭ用論理積回路３５ｂを備える。ＦＭトラップ制御回路３５は、表３に示すように、ＶＨＦロウ帯制御信号Ｂ１、第１の兼用信号Ｂ３、及び第２の兼用信号Ｂ４の各ビットの組み合わせによりＦＭトラップ制御信号ＳＦＭを生成する：
【表３】
2004343225.tif 000005
即ち、ＦＭトラップ制御回路３５は、ＶＨＦロウ帯制御信号Ｂ１がハイレベル時に第１の兼用信号Ｂ３及び第２の兼用信号Ｂ４のいずれかがハイレベルの場合にＦＭトラップ制御信号ＳＦＭを生成する。
【００１６】
図２に示すドライバ回路３３は、第１のバンド出力端子９ａに接続された第１バッファ７ａ、第２のバンド出力端子９ｂに接続された第２バッファ７ｂ、ＦＭトラップ制御端子９ｃに接続された第３バッファ７ｃ、第２のＵＨＦ制御端子９ｄに接続された第４バッファ７ｄを備える。第１バッファ７ａ、第２バッファ７ｂ、第３バッファ７ｃ、及び第４バッファ７ｄは、ＶＨＦロウ帯制御信号Ｂ１、ＶＨＦハイ帯制御信号Ｂ２、ＦＭトラップ制御信号ＳＦＭ、及びＵＨＦ帯制御信号ＳＵをそれぞれインピーダンス変換する。
【００１７】
尚、図１に示した高周波増幅部１は、アンテナ６に接続されたデマルチプレクサ１１、デマルチプレクサ１１に接続されたＦＭトラップ回路１２、ＦＭトラップ回路１２と中間周波増幅部２との間に接続された第１の増幅器１３、デマルチプレクサ１１と中間周波増幅部２との間に接続された第２の増幅器１４を備える。デマルチプレクサ１１は、ＵＨＦ帯制御信号ＳＵに基づいてＦＭトラップ回路１２及び第２の増幅器１４のいずれかに受信信号ＳＲを供給する。ＦＭトラップ回路１２は、ＦＭトラップ制御信号ＳＦＭに基づいて受信信号ＳＲのＦＭ帯の信号成分を除去する。第１の増幅器１３及び第２の増幅器１４は、受信信号ＳＲの高周波成分を増幅する。
【００１８】
中間周波増幅部２は、図１に示すように、第１の増幅器１３及びバンドスイッチ回路３２ａに接続された第１のミキサ２２ａ、ＰＬＬ回路４及びバンドスイッチ回路３２ａに入力側が接続され、第１のミキサ２２ａに出力側が接続された第１の発振器２１ａを備える。第１の発振器２１ａは、ＶＨＦ帯制御信号ＳＶ及びＰＬＬ受信制御データＤＡに基づいて第１のクロックＣＬＫ１を生成する。第１のミキサ２２ａは、第１のクロックＣＬＫ１と第１の高周波信号ＲＦ１とを混合して第１の中間周波数信号ＩＦ１を生成する。
【００１９】
また、中間周波増幅部２は、第２の増幅器１４及びバンドスイッチ回路３２ａに接続された第２のミキサ２２ｂ、ＰＬＬ回路４及びバンドスイッチ回路３２ａに入力側が接続され、第２のミキサ２２ｂに出力側が接続された第２の発振器２１ｂを備える。第２の発振器２１ｂは、ＵＨＦ帯制御信号ＳＵ及びＰＬＬ受信制御データＤＡに基づいて第２のクロックＣＬＫ２を生成する。第２のミキサ２２ｂは、第２のクロックＣＬＫ２と第２の高周波信号ＲＦ２とを混合して第２の高周波信号ＩＦ２を生成する。尚、第１のクロックＣＬＫ１及び第２のクロックＣＬＫ２はＰＬＬ回路４に供給される。
【００２０】
次に、図１及び図２を用いて、本発明の第１の実施の形態に係る受信制御回路３ａの動作を説明する。
【００２１】
（イ）先ず、図１に示すコントローラ５が供給する受信制御データＳＤは、変換回路３１によりシリアルデータからパラレルデータに変換される。具体的には、受信制御データＳＤは、ＶＨＦロウ帯制御信号Ｂ１、ＶＨＦハイ帯制御信号Ｂ２、第１の兼用信号Ｂ３、及び第２の兼用信号Ｂ４にそれぞれ変換される。ＶＨＦロウ帯制御信号Ｂ１及びＶＨＦハイ帯制御信号Ｂ２は、図２に示すＶＨＦ用論理和回路３８により論理和演算される。論理和演算されたＶＨＦロウ帯制御信号Ｂ１及びＶＨＦハイ帯制御信号Ｂ２は、ＶＨＦ帯制御信号ＳＶとしてＶＨＦ制御端子９ｆを介して図１に示す第１の発振器２１ａ及び第１のミキサ２２ａに伝達される。
【００２２】
（ロ）また、図２に示すインバータ３４ａはＶＨＦロウ帯制御信号Ｂ１を反転する。第１のＵＨＦ用論理積回路３４ｂは、第１の兼用信号Ｂ３及び反転されたＶＨＦロウ帯制御信号Ｂ１に第１の論理積演算処理を施す。これに対して第２のＵＨＦ用論理積回路３４ｃは、第２の兼用信号Ｂ４及び反転されたＶＨＦロウ帯制御信号Ｂ１に第２の論理積演算処理を施す。ＵＨＦ用論理和回路３４ｄは、第１の論理積演算処理の演算結果Ｕ１及び第２の論理積演算処理の演算結果Ｕ２を論理和演算してＵＨＦ帯制御信号ＳＵを生成する。ＵＨＦ帯制御信号ＳＵは、第１のＵＨＦ制御端子９ｅを介して図１に示す第２の発振器２１ｂ及び第２のミキサ２２ｂに伝達される。
【００２３】
（ハ）更に、図２に示すＦＭ用論理和回路３５ａは第１の兼用信号Ｂ３及び第２の兼用信号Ｂ４に論理和演算処理を施す。ＦＭ用論理積回路３５ｂは、論理和演算処理の演算結果Ａ１及びＶＨＦロウ帯制御信号Ｂ１を論理積演算してＦＭトラップ制御信号ＳＦＭを生成する。ＦＭトラップ制御信号ＳＦＭはＦＭトラップ制御端子９ｃに供給される。
【００２４】
（ニ）ＶＨＦロウ帯制御信号Ｂ１、ＶＨＦハイ帯制御信号Ｂ２、ＦＭトラップ制御信号ＳＦＭ、及びＵＨＦ帯制御信号ＳＵは、図２に示す第１バッファ７ａ、第２バッファ７ｂ、第３バッファ７ｃ、及び第４バッファ７ｄによりそれぞれインピーダンス変換される。インピーダンス変換されたＶＨＦロウ帯制御信号Ｂ１は、図１に示す第１の増幅器１３に供給される。インピーダンス変換されたＶＨＦハイ帯制御信号Ｂ２は、図１に示す第１の増幅器１３に供給される。インピーダンス変換されたＦＭトラップ制御信号ＳＦＭは、図１に示すＦＭトラップ回路１２に供給される。インピーダンス変換されたＵＨＦ帯制御信号ＳＵは、図１に示すデマルチプレクサ１１及び第２の増幅器１４に供給される。
【００２５】
このように、本発明の実施の形態に係るバンドスイッチ回路３２ａによれば、第２の兼用信号Ｂ４がＦＭトラップ制御用に定められた規格及び超高周波帯制御用に定められた規格の両方に対応可能な汎用性の高い受信制御回路３ａを提供できる。また、図２に示すように、第３バッファ７ｃ及び第４バッファ７ｄにＦＭトラップ制御信号ＳＦＭ及びＵＨＦ帯制御信号ＳＵをそれぞれ供給できるので、第３バッファ７ｃ及び第４バッファ７ｄのバッファ能力を適切に設定することが可能となる。この結果、ドライバ回路３３全体のバッファ能力が最適に保たれるため、ドライバ回路３３の小型化が実現できる。更に、表１に示すように、ＶＨＦ帯制御信号ＳＶ及びＵＨＦ帯制御信号ＳＵのいずれかが必ず”０”となるため、受信制御回路３ａの外部に切り替えスイッチを設ける必要が無い。したがって、回路規模及び消費電力量の小さい受信制御回路３ａを提供出来る。また、表１に示すように、ＶＨＦロウ帯制御信号Ｂ１、ＶＨＦハイ帯制御信号Ｂ２、第１の兼用信号Ｂ３、及び第２の兼用信号Ｂ４がすべて”０”の場合、ＶＨＦ帯制御信号ＳＶ及びＵＨＦ帯制御信号ＳＵがいずれも”０”となるため、中間周波増幅部２の待機電力を低減出来る。但し、この論理はアクティブ・ハイとした場合の値である。
【００２６】
尚、図３に示すように、本発明の実施の形態の変形例に係る受信制御回路３ｂとして、バンドスイッチ回路３２ｂのＵＨＦ帯制御回路３６が、ＶＨＦロウ帯制御信号Ｂ１を反転するインバータ３６ａ、第１の兼用信号Ｂ３及び第２の兼用信号Ｂ４に論理和演算処理を施すＵＨＦ用論理和回路３６ｂ、反転されたＶＨＦロウ帯制御信号Ｂ１と論理和演算処理の演算結果Ａ２とを論理積演算してＵＨＦ帯制御信号ＳＵを生成するＵＨＦ用論理積回路３６ｃを備えるとしても良い。また、ＦＭトラップ制御回路３７が、ＶＨＦロウ帯制御信号Ｂ１及び第２の兼用信号Ｂ４に第１の論理積演算処理を施す第１のＦＭ用論理積回路３７ａ、ＶＨＦロウ帯制御信号Ｂ１及び第１の兼用信号Ｂ３に第２の論理積演算処理を施す第２のＦＭ用論理積回路３７ｂ、第１の論理積演算処理の演算結果ＦＭ１及び第２の論理積演算処理の演算結果ＦＭ２を論理和演算するＦＭ用論理和回路３７ｃを備えるとしても良い。図３に示すＵＨＦ帯制御回路３６は、図２に示したＵＨＦ帯制御回路３４と同様に表２に示す論理演算を実行する。ＦＭトラップ制御回路３７は、図２に示したＦＭトラップ制御回路３５と同様に表３に示す論理演算を実行する。したがって、図３に示すバンドスイッチ回路３２ｂは、図２に示したバンドスイッチ回路３２ａと同様の効果を得ることが出来る。
【００２７】
更に、図１に示した中間周波増幅部２、受信制御回路３ａ、及びＰＬＬ回路４は、例えば図４に示すように、同一の半導体チップ９１上にモノリシックに集積化し、半導体集積回路９２を形成することが可能である。図４に示す例においては、半導体集積回路９２は、半導体チップ９１上にボンディングパッド９３ａ〜９３ｊを備えている。ボンディングパッド９３ａは、第１の高周波信号ＲＦ１を第１のミキサ２２ａに伝達する為の内部端子である。また、ボンディングパッド９３ｂは、第２の高周波信号ＲＦ２を第２のミキサ２２ｂに伝達する為の内部端子である。ボンディングパッド９３ｃ〜９３ｆは、ＶＨＦロウ帯制御信号Ｂ１及びＶＨＦハイ帯制御信号Ｂ２、ＦＭトラップ制御信号ＳＦＭ、及びＵＨＦ帯制御信号ＳＵをそれぞれ半導体集積回路９２の外部に伝達する為の内部端子である。ボンディングパッド９３ｇ及びボンディングパッド９３ｈは、それぞれ第１の中間周波信号ＩＦ１及び第２の中間周波信号ＩＦ２を半導体集積回路９２の外部に伝達する為の内部端子である。ボンディングパッド９３ｉは、受信制御データＳＤを変換回路３１に伝達する為の内部端子である。ボンディングパッド９３ｊは、ＰＬＬ受信制御データＤＡをＰＬＬ回路４に伝達する為の内部端子である。
【００２８】
（その他の実施の形態）
上記のように、本発明は実施の形態によって記載したが、この開示の一部をなす論述及び図面はこの発明を限定するものであると理解すべきではない。この開示から当業者には様々な代替実施の形態、実施例及び運用技術が明らかとなろう。
【００２９】
既に述べた実施の形態の説明において、テレビチューナ１０にアンテナ６が接続される一例を説明したが、テレビチューナ１０をケーブルテレビに適用しても良いことは勿論である。この場合、図１に示したアンテナ６は不要である。
【００３０】
このように、本発明はここでは記載していない様々な実施の形態等を包含するということを理解すべきである。したがって、本発明はこの開示から妥当な特許請求の範囲の発明特定事項によってのみ限定されるものである。
【００３１】
【発明の効果】
本発明によれば、汎用性が高く、且つ、回路規模が小さい受信制御回路、テレビチューナ及び半導体集積回路を提供できる。
【図面の簡単な説明】
【図１】本発明の実施の形態に係るテレビチューナの構成を示すブロック図である。
【図２】本発明の実施の形態に係るバンドスイッチ回路の回路図である。
【図３】本発明の実施の形態の変形例に係るバンドスイッチ回路の回路図である。
【図４】本発明の実施の形態に係るテレビチューナの一部を同一半導体基板上にモノリシックに集積化した構成のブロック図である。
【符号の説明】
１…高周波増幅部
２…中間周波増幅部
３ａ…受信制御回路
４…ＰＬＬ回路
５…コントローラ
６…アンテナ
７ａ…第１バッファ
７ｂ…第２バッファ
７ｃ…第３バッファ
７ｄ…第４バッファ
８ａ…第１のバンド端子
８ｂ…第２のバンド端子
８ｃ…第３のバンド端子
８ｄ…第４のバンド端子
９ａ…第１のバンド出力端子
９ｂ…第２のバンド出力端子
９ｃ…ＦＭトラップ制御端子
９ｄ…第２のＵＨＦ制御端子
９ｅ…第１のＵＨＦ制御端子
９ｆ…ＶＨＦ制御端子
１０…テレビチューナ
１１…デマルチプレクサ
１２…ＦＭトラップ回路
１３…第１の増幅器
１４…第２の増幅器
２１ａ…第１の発振器
２１ｂ…第２の発振器
２２ａ…第１のミキサ
２２ｂ…第２のミキサ
３１…変換回路
３２ａ、３２ｂ…バンドスイッチ回路
３３…ドライバ回路
３４、３６…ＵＨＦ帯制御回路
３４ａ、３６ａ…インバータ
３４ｂ…第１のＵＨＦ用論理積回路
３４ｃ…第２のＵＨＦ用論理積回路
３４ｄ、３６ｂ…ＵＨＦ用論理和回路
３５、３７…ＦＭトラップ制御回路
３５ａ…ＦＭ用論理和回路
３５ｂ…ＦＭ用論理積回路
３６ｃ…論理積回路
３７ａ…第１のＦＭ用論理積回路
３７ｂ…第２のＦＭ用論理積回路
３７ｃ…ＦＭ用論理和回路
３８…ＶＨＦ用論理和回路
９１…半導体チップ
９２…半導体集積回路
９３ａ〜９３ｊ…ボンディングパッド
【図１】
2004343225.tif 000006
【図２】
2004343225.tif 000007
【図３】
2004343225.tif 000008
【図４】
2004343225.tif 000009